【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
シャーシおよび前記シャーシ内に取り付けたモジュールを備える通信アセンブリであって、
前記シャーシは、
開口正面を通してアクセス可能な内部空間を画定し、前記開口正面と対向する背面を備えるハウジングと、
前記内部空間内の複数の取付位置と、
前記内部空間内に取り付けられ、前記取付位置の各々に対応する少なくとも１つの光ファイバアダプタとを有し、前記光ファイバアダプタは前記開口正面を望む前方端部と前記背面を望む後端とをそれぞれ有し、前記各端部はそれぞれ光ファイバコネクタを係止するよう構成されており、
前記シャーシはさらに各取付位置にて少なくとも１つの光ファイバアダプタを保持するホルダを有し、前記ホルダは、前記ホルダに取り付けた前記アダプタの後端へのアクセスを可能とするよう前記シャーシの前記内部空間から取り外し可能であり、前記ホルダは、前記開口正面の後側の前記内部空間内に前記アダプタを位置決めし、
前記モジュールは、前記取付位置のうちの１つに取り付けられ、後面を有するハウジングを有し、前記後面には、前記シャーシ内で前記少なくとも１つの光ファイバアダプタを係合する少なくとも１つの光ファイバコネクタを取り付けており、前記モジュールは、前記モジュールが前記シャーシハウジング内に取り付けられる時、前記モジュールの前記少なくとも１つの光ファイバコネクタが、前記シャーシに取り付けられた前記少なくとも１つの光ファイバアダプタと係合するように、取り外し可能な前記光ファイバアダプタホルダから前記シャシーハウジング内に別個に取り付けられることを特徴とする通信アセンブリ。
【請求項２】
請求項１の通信アセンブリにおいて、
前記モジュールはさらに、
前記モジュールの前記ハウジング内部に配置された少なくとも１つの光学部品と、
ケーブル出口を有する前面と、
前記後面のコネクタから前記光学部品まで延伸する内部の第１光ファイバケーブル、および前記光学部品から前記前面のケーブル出口まで延伸する少なくとも１本の第２光ファイバケーブルを備えることを特徴とする通信アセンブリ。
【請求項３】
請求項２の通信アセンブリにおいて、
前記モジュール内部の前記第１光ファイバケーブルは、複数の光ファイバストランドを備える多重ファイバケーブルであり、前記光学部品はファンアウトであり、複数の第２光ファイバケーブルは前記光学部品から前記前面のケーブル出口まで延伸し、各第２光ファイバケーブルは、前記第１光ファイバケーブルストランドのうちの１本を備えることを特徴とする通信アセンブリ。
【請求項４】
請求項２の通信アセンブリにおいて、
前記光学部品は光分配器であり、前記第１光ファイバケーブルは、単一のファイバストランドを備え、複数の第２光ファイバケーブルは、前記光学部品から前記前面のケーブル出口まで延伸することを特徴とする通信アセンブリ。
【請求項５】
請求項２の通信アセンブリにおいて、
前記モジュールは、前記後面に１対の光ファイバコネクタを備え、前記ホルダは、前記光ファイバコネクタのうちの１つをそれぞれ受け取る２つの光ファイバアダプタを備え、前記モジュールは１対の光学部品を備えることを特徴とする通信アセンブリ。
【請求項６】
前記モジュールは、前記前面に１対のケーブル出口を備えることを特徴とする請求項２の通信アセンブリ。
【請求項７】
前記ケーブル出口は、前記ケーブル出口を通って延伸する前記少なくとも１つの第２光ファイバケーブルに曲げ半径保護を提供する鐘形部分を備えることを特徴とする請求項２の通信アセンブリ。
【請求項８】
前記モジュールの後面は、前記モジュールハウジングの最後方延長部より前方に位置することを特徴とする請求項２の通信アセンブリ。
【請求項９】
前記モジュールの後面は、前記モジュールハウジングの最後方延長部より前方に位置することを特徴とする請求項１の通信アセンブリ。
【請求項１０】
前記ホルダは、少なくとも前記１つのアダプタを前記シャーシ背面より前方に位置決めすることを特徴とする請求項１の通信アセンブリ。
【請求項１１】
複数のモジュールをさらに備え、各モジュールは前記取付位置のうちの１つに取り付けることを特徴とする請求項１の通信アセンブリ。
【請求項１２】
請求項１１の通信アセンブリにおいて、
前記モジュールはそれぞれ１対の対向した取付フランジを備え、取付位置はそれぞれ、前記モジュールのフランジを係止する１対の対向したスロットを備えていることを特徴とする通信アセンブリ。
【請求項１３】
前記フランジの一方は他方より大きく、前記スロットのうちの１つだけが前記大きなフランジを係止する大きさに形成されていることを特徴とする請求項１２の通信アセンブリ。
【請求項１４】
請求項１の通信アセンブリにおいて、
前記ホルダは前記シャーシ面のうちの１つに隣接して位置し、前記隣接面に沿って前記前方開口部へ向かう前方延長部を備え、前記前方延長部は取り外し可能なファスナによって前記シャーシに取り外し可能に保持されることを特徴とする通信アセンブリ。
【請求項１５】
前記取り外し可能なファスナは、前記ホルダの前方延長部によって係留され、前記シャーシのファスナ開口部内に取り外し可能に係止されるちょうねじであることを特徴とする請求項１４の通信アセンブリ。
【請求項１６】
請求項１の通信アセンブリにおいて、
前記シャーシの取付位置のうちの１つはさらに、前記少なくとも１つの光ファイバアダプタの前記後部へ延伸し係止される光ファイバケーブルを備え、
前記シャーシから前記ホルダを取り外すと、前記アダプタの後部内で係止された前記光ファイバケーブルへのアクセスが可能となることを特徴とする通信アセンブリ。
【請求項１７】
請求項１６の通信アセンブリにおいて、
前記シャーシから前記ホルダを取り外すことにより、前記光ファイバアダプタの後部へ延伸する前記光ファイバケーブルにアクセス可能であり、前記光ファイバケーブルを前記アダプタの後部から取り外し、掃除することが可能であり、前記アダプタ内で前記光ファイバケーブルを交換することが可能であり、前記ホルダをシャーシ内で再配置することが可能であることを特徴とする通信アセンブリ。
【請求項１８】
前方開口部とモジュール取付位置を備えるシャーシを提供し、前記シャーシ内部の前記モジュール取付位置に、前記前方開口部からアクセス可能にホルダを配置し、前記ホルダは光ファイバアダプタを、前記アダプタの後部で光ファイバケーブルのコネクタを係止するように保持し、さらに、前記取付位置で取り付けるのに適したモジュールを提供し、前記モジュールは光ファイバコネクタを有する後面を備え、前記モジュールは、前記光ファイバアダプタホルダから前記シャーシに別個に取り付けられるように構成されており、
前記シャーシの内部から前記ホルダおよび前記光ファイバアダプタを取り外し、
前記アダプタの後部から前記光ファイバケーブルのコネクタを取り外し、前記光ファイバケーブル内の光ファイバの終端面を点検し、
前記アダプタの後部内で前記光ファイバケーブルのコネクタを再配置し、
前記取付位置にて前記ホルダを前記シャーシ内に再配置し、
前記取付位置にて前記前方開口部から前記モジュールを前記シャーシ内に挿入し、前記アダプタの前面を前記モジュールの後面の前記コネクタと係合する、
各工程を含むことを特徴とするシャーシ内にモジュールを取り付ける方法。
【請求項１９】
請求項１８の方法において、
１対の対向スロットを有する前記取付位置および１対のフランジを有する前記モジュールをさらに提供し、前記フランジの一方は他方より大きく、スロットのうちの１つだけを前記大きなフランジを係止する大きさに形成し、
前記方法はさらに、
前記シャーシの前方開口部から前記モジュールを挿入する前に、前記モジュールの前記より大きなフランジと、前記より大きなフランジを係止する大きさに形成した前記取付位置のスロットとの位置合わせを行う工程を備えることを特徴とする方法。
【請求項２０】
内部を画定し、第１と第２の対の対向面、前面、後面、および前面から離れた背面を備えるハウジングと、
前記ハウジング面の１つに隣接し、前記ハウジングの背面に略対向して配置した前記後面と、
前記ハウジングの第１と第２の対の対向面両面から延伸する取付フランジと、
前記後面に取り付け、前記ハウジングを後方へ移動することにより対応するアダプタへ差し込まれるよう配置し、前記ハウジングの前面と背面の間に配置した端部を有する少なくとも１つの光ファイバコネクタと、
前記ハウジングの前面に配置したケーブル出口と、
前記後面の少なくとも１つの光ファイバコネクタから前記ハウジング内部に取り付けた光学部品まで延伸する前記ハウジング内部の第１光ファイバケーブルと、
前記光学部品から前記前面のケーブル出口まで延伸する前記ハウジング内の第２光ファイバケーブルとを備えることを特徴とする通信モジュール。
【請求項２１】
前記ケーブル出口は、前記前面から伸びる鐘形外部延長部を備えることを特徴とする請求項２０の通信モジュール。
【請求項２２】
前記ハウジングは前記前面に隣接して延伸する可撓ラッチングタブを備えることを特徴とする請求項２０の通信モジュール。
【請求項２３】
前記ハウジングの後面は前記ハウジングによって画定されたくぼみに隣接して配置されることを特徴とする請求項２０の通信モジュール。
【請求項２４】
一方のフランジが、他方のフランジより前記隣接面から実質的にさらに延伸していることを特徴とする請求項２０の通信モジュール。
【請求項２５】
内部を画定し、第１と第２の対の対向面、前面、後面、および前面から離れた背面を備えるハウジングと、
前記ハウジングの背面に略対向して配置した前記後面、および、
前記前面と前記背面の間に伸びるモジュール軸と平行に伸びるコネクタ縦軸を有する光ファイバコネクタを保持するための少なくとも１つのコネクタホルダ位置を画定する前記後面を備え、前記コネクタの端部を、前記ハウジングによって画定された前記内部の外側に配置し、
前記前面と前記背面間の位置に配置した前記後面と、
前記ハウジングによって画定された前記内部と送受信するケーブル出口位置とを備える前記前面を備えることを特徴とする通信モジュール。
【請求項２６】
前記ケーブル出口は、前記前面から伸びる鐘形外部延長部を備えることを特徴とする請求項２５の通信モジュール。
【請求項２７】
前記ハウジングは前記前面に隣接して延伸する可撓ラッチングタブを備えることを特徴とする請求項２５の通信モジュール。
【請求項２８】
前記ハウジングの後面は前記ハウジングによって画定されたくぼみに隣接して配置されることを特徴とする請求項２５の通信モジュール。
【請求項２９】
第１長手方向に延伸するファスナを保持するファスナホルダ、前記第１長手方向と平行に前記ファスナホルダから延伸する縦フランジ、および縦フランジから延伸しアダプタ位置を画定する本体、を画定する隔壁と、
前記隔壁の本体のアダプタ位置に配置した複数のアダプタ対応部品を備えるアダプタモジュールであって、前記アダプタ対応部品は、２つのコネクタ間の光信号送信のために前記コネクタを接続するよう構成し、前記２つのコネクタは、各アダプタ対応部品により前記第１長手方向と平行な方向に配列され、前記アダプタモジュールは、それぞれのアダプタ対応部品を覆うように配置された可動のシャッタを更に有しており、前記アダプタ内に取り付けられた接続されていないコネクタによって送信された光信号に偶発的に晒されることを防止することを特徴とするアダプタモジュール。
【請求項３０】
さらに前記ファスナホルダ内にファスナを備えることを特徴とする請求項２９のアダプタモジュール。
【請求項３１】
前記複数のアダプタ対応部品を前記第１長手方向と交差する方向に配列することを特徴とする請求項２９のアダプタモジュール。
【請求項３２】
第１主要面、第２主要面、および両主要面間に延伸する一対の対向側面を有し、前方開口部と前記前方開口部と対向する背面により内部を画定するハウジングと、
前記側面の１つと略平行になるよう前記前方開口部から挿入する通信モジュール用に設定した複数の取付位置を備える通信シャーシにおいて、
各取付位置にアダプタホルダを有し、
前記各アダプタホルダは、前記ハウジングの内部に取り外し可能に取り付けられ、少なくとも１つの光ファイバアダプタを有し、前記各光ファイバアダプタは前方端部と後方端部を有し、前記各端部は、対応光ファイバコネクタを係止するように構成され、
前記各アダプタホルダは、前記前方開口部から背面に向かって側面に対して略並行に挿入される前記対応光ファイバコネクタを係止するように配置された前記前方端部を備える前記少なくとも１つの光ファイバアダプタの向きを設定し、
前記各アダプタホルダは、前記ハウジング内部の前記前方開口部の後方かつ前記背面より前方の位置で前記少なくとも１つの光ファイバアダプタを保持するように配置され、それにより対応ファイバコネクタを有する光ファイバケーブルを、前記少なくとも１つの光ファイバアダプタの前記後方端部に案内挿入することが可能であり、
前記各アダプタホルダは、前記ハウジング内部から取り外し可能なため、前記内部の外側において前記少なくとも１つの光ファイバアダプタの後方端部にアクセス可能であり、各取付位置は、各アダプタホルダのうちの前記少なくとも１つの光ファイバアダプタの前記前方端部と係止するための前記通信モジュールによって保持された突出するコネクタを有する通信モジュールを受容する大きさに形成されており、前記ハウジングは、前記通信モジュールが前記シャーシハウジング内に取り付けられる時に前記通信モジュールが既に取り付けられたアダプタホルダと係合できるように、取り外し可能に取り付けられた前記アダプタホルダから通信モジュールを別個に受容するように構成されていることを特徴とする通信シャーシ。
【請求項３３】
前記各アダプタホルダを前記ハウジングへ着脱可能なファスナをさらに備える請求項３２の通信シャーシ。
【請求項３４】
前記各アダプタホルダを前記ハウジングから着脱するための縦長取り付け台をさらに備える請求項３３の通信シャーシ。
【請求項３５】
前記各アダプタホルダを前記ハウジングから着脱するための縦長取り付け台をさらに備える請求項３２の通信シャーシ。